(57)【要約】【課題】転倒の抑制が可能でありながらも、一方の通路側における収納性を向上し得る間仕切収納装置及びこれを用いた玄関構造を提供する。【解決手段】間仕切収納装置１は、共通の玄関出入口３ａに連通される来客用通路９Ａと家族用通路９Ｂとに玄関空間２を区画するように配される間仕切収納本体部１０と、前記間仕切収納本体部とによって前記来客用通路及び前記家族用通路のうちの一方の通路９Ｂを区画する壁部４と該間仕切収納本体部の上端部とに架け渡されるように配され、該壁部の下地４ｃに固定される上端固定収納部４０と、を備えている。【選択図】図１
2018071133.tif 000002
【特許請求の範囲】
【請求項１】
共通の玄関出入口に連通される来客用通路と家族用通路とに玄関空間を区画するように配される間仕切収納本体部と、
前記間仕切収納本体部とによって前記来客用通路及び前記家族用通路のうちの一方の通路を区画する壁部と該間仕切収納本体部の上端部とに架け渡されるように配され、該壁部の下地に固定される上端固定収納部と、
を備えていることを特徴とする間仕切収納装置。
【請求項２】
請求項１において、
前記上端固定収納部は、前記間仕切収納本体部の間口方向に間隔を空けて設けられた複数本の吊下棒状部を備え、これら吊下棒状部のうちの少なくとも一本が玄関土間部上に位置するように配される構成とされていることを特徴とする間仕切収納装置。
【請求項３】
請求項１において、
前記上端固定収納部は、少なくとも一部が玄関土間部上に位置するように配される棚板状部であることを特徴とする間仕切収納装置。
【請求項４】
請求項１において、
前記間仕切収納本体部は、前記玄関空間に設けられた玄関土間部とこの玄関土間部から段上がり状に設けられた玄関フロアー部とに跨るように配される構成とされ、
前記上端固定収納部は、前記玄関フロアー部上に少なくとも一部が位置するように配される収納部が前記玄関フロアー部の奥側に向けて開口するように設けられた箱状部であることを特徴とする間仕切収納装置。
【請求項５】
請求項１乃至４のいずれか１項において、
前記上端固定収納部と前記間仕切収納本体部とは、別体とされていることを特徴とする間仕切収納装置。
【請求項６】
請求項１乃至５のいずれか１項において、
前記間仕切収納本体部は、前記玄関空間に設けられた玄関土間部とこの玄関土間部から段上がり状に設けられた玄関フロアー部とに跨るように、かつ前記壁部に対向する方向に収納奥行方向を沿わせて配される構成とされ、
前記玄関フロアー部上に位置するように配されるフロアー側収納部を開閉する戸体は、閉鎖状態で、戸幅方向一方側端部となる戸先側端部が他方側端部よりも玄関フロアー部の奥側に位置するように配される構成とされていることを特徴とする間仕切収納装置。
【請求項７】
請求項１乃至６のいずれか１項において、
前記間仕切収納本体部は、前記壁部に対向する方向に収納奥行方向を沿わせた収納部が収納間口方向に複数設けられた構成とされ、
前記複数の収納部を開閉する戸体のうちの少なくとも二枚の戸体の表面側となる厚さ方向一方面の略全面が鏡面とされ、かつ、これら戸体は、閉鎖状態で互いに近接する側の端部が吊元側端部とされていることを特徴とする間仕切収納装置。
【請求項８】
共通の玄関出入口に連通される来客用通路と家族用通路とに玄関空間を区画するように、請求項１乃至７のいずれか１項に記載の間仕切収納装置の間仕切収納本体部を配し、かつ前記上端固定収納部を、前記間仕切収納本体部とによって前記来客用通路及び前記家族用通路のうちの一方の通路を区画する壁部の下地に固定した構造とされていることを特徴とする玄関構造。
【請求項９】
請求項８において、
前記一方の通路を区画する壁部には、窓が設けられており、
前記上端固定収納部を、前記窓の上方側の下地に固定した構造とされていることを特徴とする玄関構造。
【請求項１０】
請求項８または９において、
前記一方の通路を区画する壁部に沿わせるようにカウンター部を設けたことを特徴とする玄関構造。
【発明の詳細な説明】
【技術分野】
【０００１】
本発明は、間仕切収納装置及びこれを用いた玄関構造に関する。
【背景技術】
【０００２】
従来より、住居等の建物の玄関にシューズクロークを形成するように設置される収納装置が知られている。
例えば、下記特許文献１には、玄関の間口を主玄関部とシューズクローク部とに区画するように間仕切り収納家具を設置した玄関が開示されている。
【先行技術文献】
【特許文献】
【０００３】
【特許文献１】特開２００８−８８６６３号公報
【発明の概要】
【発明が解決しようとする課題】
【０００４】
しかしながら、上記のような間仕切り収納家具は、比較的に上下寸法が大きくなるため、転倒を抑制することが望まれる。
【０００５】
本発明は、上記実情に鑑みてなされたものであり、転倒の抑制が可能でありながらも、一方の通路側における収納性を向上し得る間仕切収納装置及びこれを用いた玄関構造を提供することを目的としている。
【課題を解決するための手段】
【０００６】
上記目的を達成するために、本発明に係る間仕切収納装置は、共通の玄関出入口に連通される来客用通路と家族用通路とに玄関空間を区画するように配される間仕切収納本体部と、前記間仕切収納本体部とによって前記来客用通路及び前記家族用通路のうちの一方の通路を区画する壁部と該間仕切収納本体部の上端部とに架け渡されるように配され、該壁部の下地に固定される上端固定収納部と、を備えていることを特徴とする。
【０００７】
また、上記目的を達成するために、本発明に係る玄関構造は、共通の玄関出入口に連通される来客用通路と家族用通路とに玄関空間を区画するように、本発明に係る間仕切収納装置の間仕切収納本体部を配し、かつ前記上端固定収納部を、前記間仕切収納本体部とによって前記来客用通路及び前記家族用通路のうちの一方の通路を区画する壁部の下地に固定した構造とされていることを特徴とする。
【発明の効果】
【０００８】
本発明に係る間仕切収納装置及びこれを用いた玄関構造は、上述のような構成としたことで、転倒の抑制が可能でありながらも、一方の通路側における収納性を向上させることができる。
【図面の簡単な説明】
【０００９】
【図１】本発明の一実施形態に係る間仕切収納装置の一例及びこれを用いた玄関構造の一例を模式的に示す一部省略概略斜視図である。
【図２】同間仕切収納装置及び同玄関構造の一部破断概略横断図である。
【図３】図２におけるＸ１−Ｘ１線矢視に対応させた一部破断概略縦断面図である。
【図４】図２におけるＸ２−Ｘ２線矢視に対応させた一部破断概略縦断面図である。
【図５】図２におけるＸ３−Ｘ３線矢視に対応させた一部破断概略縦断面図である。
【図６】図４におけるＹ−Ｙ線矢視に対応させた概略横断面図である。
【図７】本発明の他の実施形態に係る間仕切収納装置の一例及びこれを用いた玄関構造の一例を模式的に示す一部破断概略横断面図である。
【図８】本発明の更に他の実施形態に係る間仕切収納装置の一例及びこれを用いた玄関構造の一例を模式的に示す一部省略概略斜視図である。
【図９】同間仕切収納装置及び同玄関構造を示す図５に対応させた一部破断概略縦断面図である。
【発明を実施するための形態】
【００１０】
以下に本発明の実施の形態について、図面に基づいて説明する。
なお、一部の図では、他図に付している詳細な符号の一部を省略している。
また、図２及び図７の横断面図においては、各実施形態に係る間仕切収納装置を平面図として示している。
また、以下の各実施形態では、各実施形態に係る間仕切収納装置を設置した状態を基準として上下方向等の方向を説明する。
【００１１】
図１〜図６は、第１実施形態に係る間仕切収納装置の一例及びこれを用いた玄関構造の一例を模式的に示す図である。
本実施形態に係る間仕切収納装置１は、図１及び図２に示すように、住居等の建物の玄関空間２に設置される。この間仕切収納装置１は、共通の玄関出入口３ａに連通される来客用通路９Ａと家族用通路９Ｂとに玄関空間２を区画するように配される間仕切収納本体部１０を備えている。
本実施形態に係る玄関構造は、共通の玄関出入口３ａに連通される来客用通路９Ａと家族用通路９Ｂとに玄関空間２を区画するように、間仕切収納装置１の間仕切収納本体部１０を配した構造とされている。
【００１２】
玄関空間２は、集合住宅や戸建住宅等に設けられたものでもよい。この玄関空間２は、四周側部が壁部３，４，５，６や廊下等によって区画されている。図例では、玄関空間２の四周側部のうちの一側部を、玄関出入口３ａが設けられ、屋内外を区画する外壁を構成する第１壁部３によって区画した例を示している。また、玄関出入口３ａに、玄関出入口３ａを開閉する玄関扉３ｂとして開き戸を設けた例を示している。なお、以下では、この玄関出入口３ａの開口方向（通行方向）を玄関奥行方向として説明するが、玄関出入口３ａが設けられる第１壁部３の形状等によっては、玄関出入口３ａの開口幅方向に沿う方向が玄関奥行方向となるものでもよい。
また、この一側部の両側（玄関間口方向両側）を、第１壁部３に対して直交状に設けられた第２壁部４と第３壁部５とによって区画した例を示している。
【００１３】
また、玄関間口方向一方側の第２壁部４を、屋内外を区画する外壁とした例を示している。また、この第２壁部４に、図２及び図３に示すように、窓４ｂが配された開口４ａを設けた構成としている。このような窓４ｂを設けた構成とすれば、第２壁部４側となる家族用通路９Ｂ側の空間の採光性や通風性を向上させることができ、この空間の快適性を向上させることができる。これにより、家族用通路９Ｂ側の空間を趣味の作業や家事等のための空間として好適に利用することができる。
また、この窓４ｂを腰高程度の高さから上方側に設けられた腰高窓とした例を示している。なお、この窓４ｂは、開閉不能とされたものでもよく、開閉可能とされたものでもよい。また、第２壁部４を、外壁とした態様に代えて、建物内空間を間仕切る間仕切壁としてもよく、隣接する住戸との境界となる戸境壁としてもよい。
【００１４】
また、玄関間口方向他方側の第３壁部５を、建物内空間を間仕切る間仕切壁とした例を示している。また、玄関出入口３ａを、第１壁部３における第３壁部５側の部位に設けた例を示している。つまり、玄関出入口３ａを、玄関空間２の玄関間口方向中央部位に設けずに、玄関間口方向他方側部位に設けた構成としている。このような構成とすれば、第３壁部５側となる来客用通路９Ａと玄関出入口３ａとの通行性を向上させることができる。なお、このような態様に代えて、玄関出入口３ａを、玄関空間２の玄関間口方向中央部位等に設けた態様としてもよい。
また、この第３壁部５に、玄関空間２とこの玄関空間２に隣接する居室空間とを連通させる開口５ａを設けた構成としている。また、この開口５ａを開閉する戸体５ｂを設けた構成としている。図例では、複数枚（図例では、三枚）の引違状に配された引戸を戸体５ｂ，５ｂ，５ｂとして設けた例を示している。また、玄関空間２に隣接する居室空間を、リビング等に隣接して設けられた畳コーナーや廊下等とし、戸体５ｂ，５ｂ，５ｂを開放させれば、玄関空間２と畳コーナーや廊下等とが連通される構成としている。
【００１５】
また、玄関空間２の奥側部となる残余の一側部を、これら第２壁部４及び第３壁部５に直交状となるように設けられ、第１壁部３に平行状に設けられた第４壁部６と廊下とによって区画した例を示している。また、この第４壁部６を間仕切壁とし、この第４壁部６に、玄関空間２とこの玄関空間２に隣接する洗面室等の他の空間とを連通させる開口６ａを設けた構成としている。また、この開口６ａを開閉する戸体６ｂを設けた構成としている。図例では、この戸体６ｂを、引戸とした例を示している。なお、玄関空間２の奥側部を、第４壁部６と奥側に延びる廊下とによって区画した態様に代えて、玄関空間２の奥側部の全体を第４壁部６によって区画した態様等としてもよい。また、玄関空間２は、四周が壁部３，４，５，６や戸体３ｂ，５ｂ，６ｂ、窓４ｂによって区画された態様に限られず、上記のように一部が廊下や階段等によって途切れたものや、更には、一側部が概ね全体に亘って隣接する空間に連なるように設けられたものでもよい。
【００１６】
この玄関空間２の玄関間口寸法（第２壁部４と第３壁部５との対向方向に沿う壁芯寸法）は、間仕切収納装置１の間仕切収納本体部１０を設置した状態で、第２壁部４側及び第３壁部５側に通路９Ａ，９Ｂの形成が可能なように適宜の寸法としてもよい。例えば、この玄関空間２の玄関間口寸法を、１５００ｍｍ〜４０００ｍｍ程度としてもよく、好ましくは、２０００ｍｍ〜３５００ｍｍ程度としてもよい。
また、玄関空間２の玄関奥行寸法（第１壁部３と第４壁部６との対向方向に沿う壁芯寸法）は、間仕切収納装置１の間仕切収納本体部１０を設置した状態で、第１壁部３側及び第４壁部６側に通路の形成が可能なように適宜の寸法としてもよい。例えば、この玄関空間２の玄関奥行寸法を、２０００ｍｍ〜４５００ｍｍ程度としてもよく、好ましくは、２５００ｍｍ〜４０００ｍｍ程度としてもよい。
【００１７】
また、玄関空間２の上側は、天井によって区画されたものでもよく、一部に吹き抜け等が設けられたものでもよい。
また、玄関空間２の下側を、玄関出入口３ａ側の玄関土間部７ａと、この玄関土間部７ａから段上がり状に設けられた玄関フロアー部８ａと、によって区画している。玄関土間部７ａ上の空間が玄関空間２における土間空間７を構成し、玄関フロアー部８ａ上の空間が玄関空間２におけるフロアー空間８を構成する。また、第３壁部５の開口５ａは、土間空間７及びフロアー空間８の両方から隣接する空間に対して出入可能なように設けられている。
また、玄関土間部７ａ及び玄関フロアー部８ａを、玄関空間２の玄関間口方向の全体に亘って設けた構成としている。つまり、玄関土間部７ａの奥側に、玄関間口方向の全体に亘って段上がり状とされた玄関フロアー部８ａを設けた構成としている。
また、玄関土間部７ａの玄関奥行方向に沿う寸法（土間空間７の奥行寸法）を、玄関フロアー部８ａの同方向に沿う寸法（フロアー空間８の奥行寸法）よりも大とした例を示しているが、土間空間７及びフロアー空間８の奥行寸法を互いに略同寸法等としてもよい。
【００１８】
また、本実施形態では、図１〜図３に示すように、第２壁部４に沿わせるようにカウンター部４ｄを設けた構成としている。このような構成とすれば、このカウンター部４ｄに荷物等を仮置きしたり、このカウンター部４ｄを机状に利用して趣味の作業や家事等を行うこともできる。
また、カウンター部４ｄを、窓４ｂの下方側近傍部位に沿わせるように設けた構成としている。また、カウンター部４ｄを、土間空間７とフロアー空間８とに跨るように設けた構成としている。また、カウンター部４ｄを、玄関空間２の玄関奥行方向の全体に亘って設けた構成としている。つまり、カウンター部４ｄを、第１壁部３と第４壁部６との対向方向の全体に亘って設けた構成としている。なお、このような態様に代えて、カウンター部４ｄを、玄関空間２の玄関奥行方向の一部に設けた構成としてもよい。この場合は、カウンター部４ｄの側方にキャビネット等の収納装置を設置した構成としてもよい。
【００１９】
また、このカウンター部４ｄは、玄関土間部７ａ上に位置するように配された部位の上面の高さが玄関土間部７ａ上に配された椅子に座った状態で作業し易い高さとなるように設けられたものでもよい（図３参照）。
また、カウンター部４ｄを、下方側に空間が形成されるように、壁付状に設けた構成としている。このようなカウンター部４ｄは、適宜の支持金具等によって第２壁部４に固定されたものでもよい。なお、このように下方側に空間が形成されるようにカウンター部４ｄを設けた態様に代えて、カウンター部４ｄの下方側の少なくとも一部に収納部を設けた構成とされたものとしてもよい。例えば、カウンター部４ｄが収納部の天板を構成するようなものとしてもよい。
【００２０】
また、本実施形態では、玄関土間部７ａと玄関フロアー部８ａとの段差部に、踏み台となる式台８ｃを設けた構成としている。また、この式台８ｃを、図２及び図５に示すように、玄関土間部７ａと玄関フロアー部８ａとの段差部の段壁面８ｂから玄関土間部７ａ側に向けて出没自在に設けた構成としている。この式台８ｃの玄関土間部７ａから踏み面となる上面までの高さは、昇降性の観点等から、玄関土間部７ａと玄関フロアー部８ａとの段差に応じて、適宜の高さとしてもよく、例えば、１００ｍｍ〜２５０ｍｍ程度としてもよい。図例では、式台８ｃの高さを、玄関土間部７ａから玄関フロアー部８ａまでの段差の概ね１／２とした例を示している。また、この式台８ｃを、間仕切収納本体部１０と第２壁部４とによって区画された家族用通路９Ｂ側に設けた構成としている。
なお、この式台８ｃを、靴等の収納可能な構成とされたものとしてもよい。または、このような踏み台として機能する式台８ｃに代えて、抽斗等の収納部を玄関土間部７ａと玄関フロアー部８ａとの段差部の段壁面８ｂから玄関土間部７ａ側に向けて出没自在に設けた構成等としてもよい。
【００２１】
また、本実施形態では、間仕切収納本体部１０の玄関奥行方向一方側の通路を開放可能に遮蔽する遮蔽体としての戸体３ｃを設けた構成としている。つまり、間仕切収納本体部１０の玄関奥行方向一方側の来客用通路９Ａと家族用通路９Ｂとを区画するように戸体３ｃを設けた構成としている。また、この戸体３ｃを、間仕切収納本体部１０と玄関出入口３ａが設けられた第１壁部３との間の通路を開閉するように設けた構成としている。このような戸体３ｃを設けた構成とすれば、戸体３ｃを閉鎖状態とすることで、来客用通路９Ａ側から家族用通路９Ｂ側をより目立ち難くすることができる。また、図例では、戸体３ｃを、第１壁部３側端部を吊元側端部とし、開放状態（全開状態）で第１壁部３に沿うように納められる開き戸とした例を示している。このような構成とすれば、戸体３ｃを開放状態とすることで、家族用通路９Ｂ側への通行性を向上させることができる。
【００２２】
また、この戸体３ｃの少なくとも厚さ方向一方面の略全面を鏡面（ミラー）としている（図４参照）。図例では、閉鎖状態で来客用通路９Ａ側に向く面の略全面を鏡面（ミラー）とした例を示している。このような構成とすれば、この戸体３ｃを閉鎖状態とすれば、来客用通路９Ａ側において姿見として利用することができる。また、この戸体３ｃを第１壁部３に沿わせるように全開させた状態とすれば、家族用通路９Ｂ側において姿見として利用することができる。
なお、図例では、この戸体３ｃの戸高寸法を、間仕切収納本体部１０の玄関土間部７ａ側部位の高さ寸法と略同寸法とした例を示しているが、異なる寸法としてもよい。
また、図例では、戸体３ｃを、閉鎖状態で、間仕切収納本体部１０の第２壁部４側の縁部に位置するように設けた例を示しているが、玄関間口方向に沿う方向で間仕切収納本体部１０の中央部等に位置にするように設けた態様等としてもよい。
【００２３】
また、戸体３ｃとしては、開き戸に限られず、折戸や引戸等としてもよい。また、この戸体３ｃが間仕切収納本体部１０の収納空間の少なくとも一部を開閉する戸体として機能するようなものでもよい。また、遮蔽体としては、戸体３ｃに限られず、ロールスクリーン式の開閉スクリーンや、プリーツスクリーン、ブラインドカーテン、シェードカーテン、その他のカーテン等としてもよい。また、間仕切収納本体部１０と第１壁部３との間の通路を開閉するように遮蔽体を設けた態様に代えて、または加えて、間仕切収納本体部１０と第４壁部６との間の通路を開閉するように遮蔽体を設けた態様としてもよい。
また、本実施形態に係る間仕切収納装置１が設置される玄関空間２としては、上記のような構成に限られず、その他、種々の変形が可能である。例えば、上記のような戸体３ｃや、窓４ｂ、カウンター部４ｄ等を設けていない構成としてもよい。また、玄関空間２に隣接する空間も上記したような空間に限られず、どのような空間でもよい。
【００２４】
間仕切収納本体部１０は、収納空間を区画するように形成された箱状とされている。本実施形態では、この間仕切収納本体部１０を、第２壁部４に対向する方向となる玄関間口方向に収納奥行方向を沿わせて配される構成としている。つまり、間仕切収納本体部１０を、玄関奥行方向に収納間口方向を沿わせて配される構成としている。また、本実施形態では、間仕切収納本体部１０を、収納間口方向（玄関奥行方向）に複数の収納部１１，２０，１５を備えた構成としている。また、間仕切収納本体部１０を、収納奥行方向（玄関間口方向）の両側から収納可能な構成としている。
【００２５】
この間仕切収納本体部１０の高さ寸法は、来客用通路９Ａ及び家族用通路９Ｂのうちの一方側から他方側が視認し難くなるように、適宜の寸法としてもよい。例えば、この間仕切収納本体部１０の高さ寸法（玄関フロアー部８ａから上面までの高さ寸法）を、１７００ｍｍ以上としてもよく、好ましくは１９００ｍｍ以上としてもよい。また、図例では、この間仕切収納本体部１０の上面を、全体に亘って略同一平面状とした例を示している。また、この間仕切収納本体部１０の高さ寸法を、天井との間に空間が形成されるような寸法としている。例えば、間仕切収納本体部１０の上方側に１００ｍｍ〜５００ｍｍ程度の空間が形成されるような構成としてもよい。
また、この間仕切収納本体部１０の玄関間口方向に沿う収納奥行寸法は、間仕切収納本体部１０の玄関間口方向両側に通路９Ａ，９Ｂの形成が可能なように、上記した玄関空間２の玄関間口寸法等に応じて、また、収納性の観点等から適宜の寸法としてもよい。例えば、この間仕切収納本体部１０の収納奥行寸法を、３００ｍｍ〜９００ｍｍ程度としてもよい。本実施形態では、図２に示すように、間仕切収納本体部１０の収納奥行寸法を、収納間口方向の全体に亘って一様な寸法としている。
【００２６】
また、この間仕切収納本体部１０の玄関間口方向両側に形成される通路９Ａ，９Ｂの玄関間口方向に沿う通路幅寸法は、通行性や空間利用性の観点等から適宜の寸法としてもよい。例えば、これら通路９Ａ，９Ｂの通路幅寸法を、６００ｍｍ以上としてもよく、好ましくは、７５０ｍｍ以上としてもよく、より好ましくは、９００ｍｍ以上としてもよい。このように比較的に大きな寸法とすれば、これら通路９Ａ，９Ｂのうちの特に家族用通路９Ｂを、作業スペース等として利用することもできる。
本実施形態では、間仕切収納本体部１０の玄関間口方向一方側の来客用通路９Ａの通路幅寸法と間仕切収納本体部１０の玄関間口方向他方側の家族用通路９Ｂの通路幅寸法とを、略同寸法とした例を示している。なお、このような態様に代えて、来客用通路９Ａの通路幅寸法を、家族用通路９Ｂの通路幅寸法よりも大としたり、小としたりしてもよい。また、上記のようにカウンター部４ｄを設けた場合には、家族用通路９Ｂの通路幅寸法を、カウンター部４ｄから間仕切収納本体部１０までの玄関間口方向に沿う寸法として把握するようにしてもよい。つまり、家族用通路９Ｂ側に、家族用通路９Ｂの通路幅寸法に加えて、カウンター部４ｄの第２壁部４からの出幅寸法を加えた比較的に大きな空間が形成されるものとしてもよい。
【００２７】
また、この間仕切収納本体部１０の玄関奥行方向に沿う収納間口寸法は、間仕切収納本体部１０の玄関奥行方向両側に通路の形成が可能なように、上記した玄関空間２の玄関奥行寸法等に応じて、また、収納性や間仕切性の観点等から適宜の寸法としてもよい。例えば、この間仕切収納本体部１０の収納間口寸法を、９００ｍｍ以上としてもよく、好ましくは、１２００ｍｍ以上としてもよく、より好ましくは、１５００ｍｍ以上としてもよい。
また、この間仕切収納本体部１０の玄関奥行方向両側に形成される通路の玄関奥行方向に沿う通路幅寸法は、通行性の観点等から上記同様な寸法としてもよい。図例では、間仕切収納本体部１０の玄関奥行方向一方側の通路の通路幅寸法と間仕切収納本体部１０の玄関奥行方向他方側の通路の通路幅寸法とを略同寸法とした例を示しているが、これらを互いに異なる寸法としてもよい。
【００２８】
また、本実施形態では、間仕切収納本体部１０を、玄関土間部７ａと玄関フロアー部８ａとに跨るように配される構成としている。つまり、間仕切収納本体部１０を、玄関土間部７ａ上に配される土間側収納部１１，２０と玄関フロアー部８ａ上に配されるフロアー側収納部１５とを備えた構成としている。このような構成とすれば、玄関土間部７ａ上の土間空間７及び玄関フロアー部８ａ上のフロアー空間８の両方を、間仕切収納本体部１０によって来客用通路９Ａと家族用通路９Ｂとに区画することができる。
これら土間側収納部１１，２０及びフロアー側収納部１５の玄関奥行方向に沿う収納間口寸法は、土間側及びフロアー側における間仕切性の観点等から適宜の寸法としてもよい。例えば、これら土間側収納部１１，２０及びフロアー側収納部１５のそれぞれの収納間口寸法を、３００ｍｍ以上としてもよい。本実施形態では、土間側収納部１１，２０の収納間口寸法を、フロアー側収納部１５の収納間口寸法よりも大としている。また、図例では、土間側収納部１１，２０の収納間口寸法を、フロアー側収納部１５の収納間口寸法の３倍程度とした例を示している。
【００２９】
また、本実施形態では、図４に示すように、間仕切収納本体部１０の下端側に、玄関土間部７ａと玄関フロアー部８ａとの段差に応じた段部を設けた構成としている。つまり、収納奥行方向に見て、土間側収納部１１，２０の下方側に来客用通路９Ａ側の空間と家族用通路９Ｂ側の空間とを連通させる空間が形成されないように、土間側収納部１１，２０の下端がフロアー側収納部１５の下端よりも下方側に位置する構成としている。このような構成とすれば、土間側収納部１１，２０の下方側に支持脚等を設けて、下方側に来客用通路９Ａ側の空間と家族用通路９Ｂ側の空間とを連通させる空間を設けたようなものと比べて、間仕切性を向上させることができる。間仕切収納本体部１０の下端側に玄関土間部７ａと玄関フロアー部８ａとの段差に応じた段部を設ける態様としては、土間側収納部１１，２０を構成する厚さ方向を収納奥行方向に沿わせた板部の全ての下端を玄関土間部７ａに当接または近接させる態様に限られない。好ましくは、図４に示すように、土間側収納部１１，２０の来客用通路９Ａ側に配される板部を構成する戸体１４Ａ，２３，２３の下端を玄関土間部７ａに当接または近接させる態様としてもよい。
【００３０】
また、図１及び図４に示すように、間仕切収納本体部１０の収納奥行方向一方側となる来客用通路９Ａ側に、収納奥行方向一方側に向けて開口するように掘り込み状（ニッチ状）の凹状飾り棚部２９を設けた構成としている。このような構成とすれば、この凹状飾り棚部２９に、花瓶や写真、絵画等の物品を飾ることができる。本実施形態では、この凹状飾り棚部２９を、玄関土間部７ａ上に位置するように配される構成としている。この凹状飾り棚部２９は、間仕切収納本体部１０の上下方向途中部位及び収納間口方向途中部位に位置するように設けられている。図例では、凹状飾り棚部２９を、収納間口方向略中央部に設けた例を示している。なお、この凹状飾り棚部２９の下方側に向く内周面に、二点鎖線にて示すように下方側に向けて照射する照明装置等を設けた構成としてもよい。
【００３１】
フロアー側収納部１５は、図４〜図６に示すように、収納空間を区画する天板１６や底板１８、両側の側板１７，１７等を備えている。本実施形態では、このフロアー側収納部１５の玄関出入口３ａ側の側板１７を、上記した凹状飾り棚部２９の玄関出入口３ａ側に向く内周面を構成するものとしている。なお、底板１８を設けずに、玄関フロアー部８ａがフロアー側収納部１５の底部を構成するものとしてもよい。
また、本実施形態では、このフロアー側収納部１５を、収納奥行方向両側から収納可能な構成としている。つまり、フロアー側収納部１５の収納空間は、収納奥行方向両側に開口するように設けられている。図例では、このフロアー側収納部１５の収納空間を、収納奥行方向の全体に亘って貫通させるように設けた構成としている。このような構成とすれば、使い勝手を向上させることができる。
また、このフロアー側収納部１５の収納空間は、比較的に上下方向に長尺状とされ、コート等の衣類を吊り下げて収納可能な構成とされたものでもよく、棚板によって上下に複数段に区画され、帽子や鞄等を収納可能な構成とされたものでもよい。
【００３２】
また、フロアー側収納部１５は、これら収納奥行方向両側の開口を開閉する戸体１９Ａ，１９Ｂを備えている。本実施形態では、これら戸体１９Ａ，１９Ｂを、閉鎖状態で、戸幅方向一方側端部となる戸先側端部が他方側端部よりも玄関フロアー部８ａの奥側に位置するように配される構成としている。このような構成とすれば、フロアー側収納部１５の戸体１９Ａ，１９Ｂの開閉を、玄関フロアー部８ａ側において行い易くなる。これにより、例えば、このフロアー側収納部１５を衣類のクロークとした場合に、衣類の出し入れや着脱を玄関フロアー部８ａ側において容易に行うことができる。
【００３３】
また、本実施形態では、これら戸体１９Ａ，１９Ｂを、上下方向に沿う軸回りに回転自在に蝶番等の回転連結部材を介して一方の側板１７に連結された開き戸としている。つまり、これら戸体１９Ａ，１９Ｂを、閉鎖状態で、吊元側端部が戸先側端部よりも玄関土間部７ａ側に位置するように設けた構成としている。これら戸体１９Ａ，１９Ｂは、フロアー側収納部１５の開口に対して少なくとも略９０度の開き角度となるまで開放可能とされている。つまり、これら戸体１９Ａ，１９Ｂを、開き角度が略９０度となるように開放させた状態では、これら戸体１９Ａ，１９Ｂの表面が第１壁部３側に向く構成とされている。
また、フロアー側収納部１５の収納奥行方向両側のそれぞれに一枚の戸体１９Ａ，１９Ｂを設けた構成としている。図例では、これら戸体１９Ａ，１９Ｂの戸高寸法及び戸幅寸法を、フロアー側収納部１５の高さ寸法及び収納間口寸法と略同寸法とした例を示している。
【００３４】
また、本実施形態では、これら戸体１９Ａ，１９Ｂのうちの少なくとも一方側となる家族用通路９Ｂ側の開口を開閉する戸体１９Ｂの表面側となる厚さ方向一方面の略全面を鏡面（ミラー）１９Ｂａとしている。
また、図例では、これら戸体１９Ａ，１９Ｂを、アウトセット状に側板１７に連結した例を示しているが、インセット状に側板１７に連結した構成等としてもよい。
なお、これら戸体１９Ａ，１９Ｂの適所に手掛部を設けた構成としてもよい。または、戸先側端部が押圧されれば戸体１９Ａ，１９Ｂを開放側に付勢するプッシュオープンラッチ等を設けた構成としてもよい。また、これら戸体１９Ａ，１９Ｂとしては、開き戸に限られず、両方または一方が折戸や引戸（引き違い戸）とされたものでもよい。
【００３５】
土間側収納部１１，２０は、図４〜図６に示すように、本実施形態では、収納間口方向に隣り合うように設けられた第１土間側収納部１１と第２土間側収納部２０とを備えた構成とされている。また、第１土間側収納部１１とフロアー側収納部１５との間に、第２土間側収納部２０を設けた構成としている。つまり、第１土間側収納部１１を、玄関出入口３ａが設けられた第１壁部３側に位置するように設けた構成としている。
第１土間側収納部１１は、上記と概ね同様、収納空間を区画する天板１２や両側の側板１３，１３等を備えている。本実施形態では、この第１土間側収納部１１の玄関奥行方向奥側の側板１３を、上記した凹状飾り棚部２９の玄関奥行方向奥側に向く内周面を構成するものとしている。また、本実施形態では、この第１土間側収納部１１及びフロアー側収納部１５の収納間口寸法を互いに略同寸法としている。また、本実施形態では、この第１土間側収納部１１に底板を設けていない構成とし、玄関土間部７ａを第１土間側収納部１１の底部としている。このような構成とすれば、この第１土間側収納部１１に、玄関土間部７ａ上に収納したいベビーカーやゴルフバッグ等のアウトドア用品等を収納することができる。
【００３６】
また、本実施形態では、この第１土間側収納部１１を、収納奥行方向両側から収納可能な構成としている。また、上記同様、この第１土間側収納部１１の収納空間を、収納奥行方向の全体に亘って貫通させるように設けた構成としている。また、この第１土間側収納部１１の収納空間は、比較的に上下方向に長尺状とされ、上記のようなアウトドア用品等や、コート等の衣類を吊り下げて収納可能な構成とされたものでもよく、棚板によって上下に複数段に区画されたものでもよい。
また、第１土間側収納部１１には、上記同様、収納奥行方向両側の開口を開閉する戸体１４Ａ，１４Ｂが設けられている。また、これら戸体１４Ａ，１４Ｂを、上記同様、上下方向に沿う軸回りに回転自在に蝶番等の回転連結部材を介して一方の側板１３に連結された開き戸としている。また、これら戸体１４Ａ，１４Ｂを、閉鎖状態で、吊元側端部が戸先側端部よりも玄関フロアー部８ａ側に位置するように設けた構成としている。つまり、これら戸体１４Ａ，１４Ｂを、玄関奥行方向奥側の側板１３に連結した構成としている。
【００３７】
また、これら戸体１４Ａ，１４Ｂは、第１土間側収納部１１の開口に対して少なくとも略９０度の開き角度となるまで開放可能とされている。つまり、これら戸体１４Ａ，１４Ｂを、開き角度が略９０度となるように開放させた状態では、これら戸体１４Ａ，１４Ｂの表面が玄関奥行方向奥側となる第４壁部６側に向く構成とされている。つまりは、これら戸体１４Ａ，１４Ｂ及び上記したフロアー側収納部１５の戸体１９Ａ，１９Ｂを開放させた状態では、互いの表面側となる厚さ方向一方面が対面する構成とされている。なお、これら戸体１４Ａ，１４Ｂ，１９Ａ，１９Ｂは、任意の開き角度において停止可能な構成とされたものでもよい。
【００３８】
また、上記同様、第１土間側収納部１１の収納奥行方向両側のそれぞれに一枚の戸体１４Ａ，１４Ｂを設けた構成としている。図例では、来客用通路９Ａ側の開口を開閉する戸体１４Ａの戸高寸法及び戸幅寸法を、第１土間側収納部１１の高さ寸法及び収納間口寸法と略同寸法とした例を示している。また、家族用通路９Ｂ側の開口を開閉する戸体１４Ｂの戸幅寸法を、第１土間側収納部１１の収納間口寸法と略同寸法とし、戸高寸法を、第１土間側収納部１１の高さ寸法よりも小とした例を示している。また、この家族用通路９Ｂ側の戸体１４Ｂを、図５に示すように、下端側に玄関土間部７ａとの間に空間が形成されるように設けた構成としている。図例では、この戸体１４Ｂの戸高寸法を、フロアー側収納部１５の戸体１９Ａ，１９Ｂの戸高寸法と略同寸法とした例を示している。
【００３９】
また、この家族用通路９Ｂ側の戸体１４Ｂの表面側となる厚さ方向一方面の略全面を鏡面（ミラー）１４Ｂａとしている。つまり、本実施形態では、厚さ方向一方面の略全面が鏡面１４Ｂａ，１９Ｂａとされた戸体１４Ｂ，１９Ｂの吊元側端部を、閉鎖状態で互いに近接する側の端部としている。このような構成とすれば、図６に示すように、開放状態とされたこれら戸体１４Ｂ，１９Ｂの間において、後ろ姿等を確認したりすることができ、つまり、これら戸体１４Ｂ，１９Ｂを、合わせ鏡的に利用することができる。
なお、図例では、これら略全面が鏡面１４Ｂａ，１９Ｂａとされた戸体１４Ｂ，１９Ｂの吊元側端部間に第２土間側収納部２０を設けた例を示しているが、このような態様に限られない。例えば、これら略全面が鏡面１４Ｂａ，１９Ｂａとされた戸体１４Ｂ，１９Ｂの吊元側端部同士を隣り合わせるように近接させた構成としてもよい。このような構成とした場合にも、これら戸体１４Ｂ，１９Ｂを斜め状に開放位置とすれば、合わせ鏡的に利用可能となる。
【００４０】
なお、図例では、第１土間側収納部１１の戸体１４Ａ，１４Ｂを、上記同様、アウトセット状に側板１３に連結した例を示しているが、インセット状に側板１３に連結した構成等としてもよい。
また、これら戸体１４Ａ，１４Ｂの適所に手掛部を設けた構成としてもよく、プッシュオープンラッチ等を設けた構成としてもよい。また、これら戸体１４Ａ，１４Ｂとしては、開き戸に限られず、両方または一方が折戸や引戸（引き違い戸）とされたものでもよい。
【００４１】
第２土間側収納部２０は、本実施形態では、収納奥行方向両側のそれぞれに収納部２１，２４，２９，３０を設けた構成とされている。また、第２土間側収納部２０は、収納間口寸法が上記した第１土間側収納部１１よりも大とされている。図例では、この第２土間側収納部２０の収納間口寸法を、第１土間側収納部１１の収納間口寸法の２倍程度とした例を示している。また、収納奥行方向一方側となる来客用通路９Ａ側の収納部２１，２４，２９の収納奥行寸法を、収納奥行方向他方側となる家族用通路９Ｂ側の収納部（家族側収納部）３０の収納奥行寸法よりも小としている。図例では、来客用通路９Ａ側の収納部２１，２４，２９の収納奥行寸法を、家族側収納部３０の収納奥行寸法の１／２程度とした例を示している。
また、図４に示すように、来客用通路９Ａ側の収納部２１，２４，２９は、凹状飾り棚部２９の上側に上側収納部２４を設け、凹状飾り棚部２９の下側に下側収納部２１を設けた構成とされている。つまり、第２土間側収納部２０は、来客用通路９Ａ側に、上側収納部２４と凹状飾り棚部２９と下側収納部２１とを上方側からこの順に設けた構成とされている。なお、凹状飾り棚部２９に代えて、適宜の戸体によって開閉される収納部を設けた構成としてもよい。
【００４２】
玄関土間部７ａ上に配される下側収納部２１は、図６に示すように、上記と概ね同様、天板２２や側板等を備えている。本実施形態では、この下側収納部２１の天板２２を、上記した凹状飾り棚部２９の上方側に向く内周面を構成するものとしている。また、この天板２２を、上面側において両側の側板や背板等が露出しないように設けた構成としている。また、この下側収納部２１を、収納間口方向両側の第１土間側収納部１１及びフロアー側収納部１５に当接させて設けた構成としている。なお、この下側収納部２１を、収納間口方向両側の第１土間側収納部１１及びフロアー側収納部１５に対して止具や固定具等を介して固定するようにしてもよい。
また、この下側収納部２１の収納空間は、靴等の収納が可能なように棚板によって上下に複数段に区画されたものでもよく、単一の空間とされたものでもよい。
また、この下側収納部２１には、来客用通路９Ａ側に向く開口を開閉する戸体２３，２３が設けられている。図例では、二枚の戸体２３，２３を、それぞれの吊元側端部が両側の側板に回転連結部材によって回転自在に連結された開き戸（両開き戸）とした例を示している。また、これら戸体２３，２３を、下端面が玄関土間部７ａに近接するように設けた構成としている。なお、これら戸体２３，２３を、折戸や引戸（引き違い戸）等としてもよい。
【００４３】
上側収納部２４は、図２等に示すように、上記と概ね同様、天板２５や両側の側板２６，２６、背板２７、底板等を備えている。本実施形態では、この上側収納部２４の底板を、上記した凹状飾り棚部２９の下方側に向く内周面を構成するものとしている。また、この上側収納部２４を、収納間口方向両側の第１土間側収納部１１とフロアー側収納部１５との間に架け渡すように設けた構成としている。なお、この上側収納部２４を、収納間口方向両側の第１土間側収納部１１及びフロアー側収納部１５に対して止具や固定具等を介して固定するようにしてもよい。このような態様に代えて、または加えて、この上側収納部２４の収納奥側の背板２７を、家族側収納部３０に対して止具や固定具等を介して固定するようにしてもよい。
また、この上側収納部２４の収納空間は、棚板によって上下に複数段に区画されたものでもよく、単一の空間とされたものでもよい。この上側収納部２４の収納空間は、例えば、分電盤等が収納されるものでもよい。
また、この上側収納部２４には、来客用通路９Ａ側に向く開口を開閉する戸体２８，２８が設けられている。この戸体２８，２８は、詳細な図示は省略しているが、上記同様、それぞれの吊元側端部が両側の側板２６，２６に回転連結部材によって回転自在に連結された開き戸（両開き戸）としてもよい。または、戸体２８を、上端側部を回転支点として下端側を上方側に持ち上げるようにして開放される開き戸としてもよく、その他、折戸や引戸（引き違い戸）としてもよい。
【００４４】
家族用通路９Ｂ側の家族側収納部３０は、上記と概ね同様、天板３１や両側の側板３２，３２、背板３３、底板３６等を備えている。本実施形態では、この家族側収納部３０の背板３３を、上記した凹状飾り棚部２９の凹底面を構成するものとしている。また、この背板３３を、凹底面において両側の側板３２，３２が露出しないように設けた構成としている。この背板３３の厚さ方向一方面となる来客用通路９Ａ側に向く凹状飾り棚部２９の凹底面や上記した凹状飾り棚部２９の内周面は、化粧面とされている。
また、この家族側収納部３０の収納空間は、上記同様、比較的に上下方向に長尺状とされ、コート等の衣類を吊り下げて収納可能な構成とされたものでもよく、靴等の収納が可能なように棚板３５によって上下に複数段に区画されたものでもよい。なお、この家族側収納部３０に、収納空間を収納間口方向に区画する縦仕切板を設けた構成としてもよい。
【００４５】
また、本実施形態では、この家族側収納部３０の底板３６と玄関土間部７ａとの間に空間を設けた構成としている。また、この家族側収納部３０の高さ寸法（底板３６下面から天板３１上面までの高さ寸法）を、上記したフロアー側収納部１５の高さ寸法と略同寸法とし、底板３６の下面側に、支持脚３７，３７を設けた構成としている。なお、このような支持脚３７，３７によって家族側収納部３０を支持する態様に代えて、または加えて、収納間口方向両側の第１土間側収納部１１及びフロアー側収納部１５に家族側収納部３０を支持させた態様等としてもよい。
また、この家族側収納部３０に、家族用通路９Ｂ側に向く開口を開閉する戸体３８，３８を設けた構成としている。図例では、二枚の戸体３８，３８を、それぞれの吊元側端部が両側の側板３２，３２に回転連結部材によって回転自在に連結された開き戸（両開き戸）とした例を示している。また、これら戸体３８，３８の戸高寸法を、これらの収納間口方向両側に設けられた戸体１４Ｂ，１９Ｂの戸高寸法と略同寸法としている。また、これら戸体３８，３８の戸幅寸法を、これらの収納間口方向両側に設けられた戸体１４Ｂ，１９Ｂの戸幅寸法と略同寸法としている。
【００４６】
なお、これら戸体３８，３８の両方または一方の表面側となる厚さ方向一方面の略全面を鏡面（ミラー）としてもよい。また、これら戸体３８，３８を、折戸や引戸（引き違い戸）等としてもよい。また、第２土間側収納部２０の各戸体２３，２３，２８，２８，３８，３８の適所に手掛部を設けた構成としてもよく、プッシュオープンラッチ等を設けた構成としてもよい。
また、間仕切収納本体部１０の各収納部１１，１５，２０としては、上記したような構成とされたものに限られず、種々の変形が可能である。例えば、収納間口方向に隣り合う収納部１１，１５，２０の側板を兼用のものとしたり、収納間口方向に隣り合う収納部１１，１５，２０の天板を共通のものとしたりした態様等としてもよく、その他、種々の変形が可能である。
【００４７】
また、間仕切収納装置１は、上記した間仕切収納本体部１０とによって来客用通路９Ａ及び家族用通路９Ｂのうちの一方の通路９Ｂを区画する壁部（第２壁部４）と間仕切収納本体部１０の上端部とに架け渡されるように配される上端固定収納部４０を備えている。本実施形態では、一方の通路を、家族用通路９Ｂとしている。つまり、上端固定収納部４０を、図３に示すように、第２壁部４の下地４ｃに固定した構成としている。このような下地４ｃとしては、壁下地ボードが固定される間柱や胴縁等でもよい。
また、上記のように窓４ｂが設けられた第２壁部４の窓４ｂの上方側の下地４ｃに、上端固定収納部４０を固定した構成としている。このような構成とすれば、上端固定収納部４０を、窓４ｂの周囲に位置づけることができる。
【００４８】
また、上端固定収納部４０を、間仕切収納本体部１０の収納間口方向に間隔を空けて設けられた複数本（図例では、３本）の吊下棒状部４１，４１，４１を備えた構成としている。また、本実施形態では、間仕切収納本体部１０と上端固定収納部４０とを、別体としている。このような構成とすれば、間仕切収納本体部１０に上端固定収納部４０を一体的に設けたものと比べて、家族用通路（一方の通路）９Ｂの通路幅寸法を容易に調整したり、玄関間口方向に沿う寸法が異なる玄関空間２にも容易に適用することができる。例えば、玄関間口方向に沿う寸法が異なる寸法とされた複数の上端固定収納部４０のうちから選択可能としてもよい。または、上端固定収納部４０の間仕切収納本体部１０に対する固定位置を変更したり、上端固定収納部４０を切断することで、上端固定収納部４０の玄関間口方向に沿う寸法を調整したりすることもできる。
また、本実施形態のように、吊下棒状部４１，４１，４１を備えた構成とすれば、容易に切断することができる。また、間仕切収納本体部１０に対する固定位置を変更することで、収納間口寸法が異なる間仕切収納本体部１０にも容易に適用することができる。
【００４９】
これら複数本の吊下棒状部４１，４１，４１は、互いに別体とされ、長手方向を間仕切収納本体部１０の収納奥行方向に沿わせた構成とされている。本実施形態では、これら吊下棒状部４１，４１，４１のうちの少なくとも一本が玄関土間部７ａ上に位置するように配される構成としている。これら吊下棒状部４１，４１，４１のうちの少なくとも一本を、図５に示すように、吊り下げられた衣類等の下方側に玄関フロアー部８ａが位置しないように設けた構成としてもよい。
また、これら複数本の吊下棒状部４１，４１，４１間の間隔は、種々の物品を吊下可能なように、また、これら吊下棒状部４１，４１，４１の上方側に架け渡されるように配される長尺物を安定的に支持可能なように適宜の寸法としてもよい。このような長尺物としては、スキー板やスノーボード、サーフボード、釣竿等のアウトドア用品等が挙げられる。図例では、三本の吊下棒状部４１，４１，４１を、第２土間側収納部２０の収納間口方向略中央部及び収納間口方向両側端部の上面側に位置するように設けた例を示している。なお、このような態様に代えて、第１土間側収納部１１、第２土間側収納部２０及びフロアー側収納部１５のそれぞれの上面側に位置するように吊下棒状部４１，４１，４１を設けた構成等としてもよい。
【００５０】
また、これら複数本の吊下棒状部４１，４１，４１を、略円柱状とした例を示している。
これら吊下棒状部４１，４１，４１の長手方向一端部は、固定具４２，４２，４２を介して第２壁部４の下地４ｃに固定される。このような固定具４２，４２，４２としては、吊下棒状部４１，４１，４１が挿通されて固定される筒部の一端に下地４ｃに固定される鍔状部を設けた構成とされたものでもよく、その他、種々の構成とされたものでもよい。
また、これら吊下棒状部４１，４１，４１の長手方向他端部は、固定具４３，４３，４３を介して間仕切収納本体部１０（第２土間側収納部２０）の上面に固定される。このような固定具４３，４３，４３としては、吊下棒状部４１，４１，４１の外周面に沿うように湾曲状とされた部位の両端に、間仕切収納本体部１０の上面に固定される固定片部を設けた構成とされたものでもよく、その他、種々の構成とされたものでもよい。
また、図例では、これら吊下棒状部４１，４１，４１の長手方向他端部を、第２土間側収納部２０の家族側収納部３０の収納奥行方向途中部位に固定した例を示しているが、このような態様に限られない。
【００５１】
また、本実施形態では、これら複数本の吊下棒状部４１，４１，４１のうち、玄関フロアー部８ａの上がり框（段壁面８ｂ）近傍部位の上方側に位置する吊下棒状部４１に、上下方向に延びる手摺棒４４を連結した構成としている。また、この手摺棒４４を、間仕切収納本体部１０と第２壁部４との間における第２壁部４側に位置するように設けた構成としている。また、図例では、平面視して段壁面８ｂよりも僅かに玄関土間部７ａ側に位置する吊下棒状部４１に手摺棒４４を連結した構成としている。この手摺棒４４は、上端部が吊下棒状部４１に適宜の連結具を介して連結されている。また、図例では、この手摺棒４４の下端部を、カウンター部４ｄの上面に固定した例を示している。なお、この手摺棒４４の下端部を、カウンター部４ｄを貫通させてまたはカウンター部４ｄを貫通させることなく、玄関フロアー部８ａや玄関土間部７ａに固定した構成としてもよい。また、上端固定収納部４０が備える吊下棒状部４１，４１，４１としては、三本に限られず、二本でもよく、四本以上でもよい。また、吊下棒状部４１，４１，４１の長手方向途中部位同士や端部同士を連結する連結棒を備えた構成とされたものでもよい。つまり、上端固定収納部４０を、枠状や梯子状、格子状に形成されたものとしてもよい。複数本の吊下棒状部４１，４１，４１を備えた上端固定収納部４０としては、その他、種々の変形が可能である。
【００５２】
本実施形態に係る間仕切収納装置１及びこれを用いた玄関構造は、上述のような構成としたことで、転倒の抑制が可能でありながらも、一方の通路（家族用通路）９Ｂ側における収納性を向上させることができる。
つまり、共通の玄関出入口３ａに連通される来客用通路９Ａと家族用通路９Ｂとに玄関空間２を区画するように配される間仕切収納本体部１０を備えた構成としている。従って、玄関空間２を共通の玄関出入口３ａに連通される来客用通路９Ａと家族用通路９Ｂとに区画することができる。これにより、家族の出入りを家族用通路９Ｂ側において行うようにすれば、来客用通路９Ａ側に家族の履物等が散乱することがなく、来客用通路９Ａ側の見栄えを向上させることができる。また、間仕切収納本体部１０によって来客用通路９Ａ側から家族用通路９Ｂ側を目立ち難くすることができる。
【００５３】
また、間仕切収納本体部１０とによって来客用通路９Ａ及び家族用通路９Ｂのうちの一方の通路９Ｂを区画する壁部（第２壁部）４と間仕切収納本体部１０の上端部とに架け渡されるように配される上端固定収納部４０を備えた構成としている。従って、この上端固定収納部４０を利用して収納することができ、一方の通路９Ｂ側における収納性を向上させることができる。また、この上端固定収納部４０が第２壁部４の下地４ｃに固定されるので、間仕切収納本体部１０の上端側を、上端固定収納部４０を介して第２壁部４の下地４ｃに固定することができ、間仕切収納本体部１０の転倒を抑制することができる。
また、本実施形態では、一方の通路を家族用通路９Ｂとしているので、この上端固定収納部４０が家族用通路９Ｂ側に配されることとなり、上端固定収納部４０を来客用通路９Ａ側から目立ち難くすることができる。
【００５４】
また、本実施形態では、上端固定収納部４０を、間仕切収納本体部１０の収納間口方向に間隔を空けて設けられた複数本の吊下棒状部４１，４１，４１を備えた構成としている。従って、これら複数本の吊下棒状部４１，４１，４１のそれぞれを第２壁部４の下地４ｃに固定することができ、これらによって間仕切収納本体部１０の収納間口方向に間隔を空けた部位を安定的に支持することができる。また、これら複数本の吊下棒状部４１，４１，４１上に、架け渡すようにして上記のような長尺物を収納させたり、これら複数本の吊下棒状部４１，４１，４１に、上着やレインコート等の衣類の吊下具や、洗濯物が掛けられる物干具等を吊り下げたりすることができる。
また、これら吊下棒状部４１，４１，４１のうちの少なくとも一本を玄関土間部７ａ上に位置するように配される構成としている。従って、レインコート等の濡れている衣類や傘等を吊り下げる際には、玄関土間部７ａ上に配される吊下棒状部４１に吊り下げれば、玄関フロアー部８ａ側が濡れるようなことを抑制することができる。
【００５５】
また、本実施形態では、土間側収納部（第１土間側収納部）１１の戸体１４Ｂ及びフロアー側収納部１５の戸体１９Ｂの表面側となる厚さ方向一方面の略全面を鏡面１４Ｂａ，１９Ｂａとしている。従って、玄関土間部７ａ側及び玄関フロアー部８ａ側のいずれにおいても、これら戸体１４Ｂ，１９Ｂの鏡面１４Ｂａ，１９Ｂａを姿見として利用することができる。これにより、靴を履かずに玄関フロアー部８ａ側において鏡を見たい場合や、靴を履いて玄関土間部７ａ側において鏡を見たい場合のいずれにも対応することができ、使い勝手を向上させることができる。
【００５６】
次に、本発明に係る他の実施形態について、図７〜図９を参照しながら説明する。
なお、以下の各実施形態では、上記第１実施形態との相違点について主に説明し、同様の構成については、同一の符号を付し、その説明を省略または簡略に説明する。
図７は、第２実施形態に係る間仕切収納装置及びこれを用いた玄関構造の一例を模式的に示す図である。
【００５７】
本実施形態に係る間仕切収納装置１Ａは、図７に示すように、間仕切収納本体部１０Ａ及び上端固定収納部４０Ａの構成が上記第１実施形態とは主に異なる。
また、本実施形態では、玄関空間２Ａの玄関間口寸法及び玄関奥行寸法を、上記第１実施形態において例示した玄関空間２よりも小としている。また、この玄関空間２Ａに対応させて、奥側を区画する第４壁部６Ａの玄関奥行方向における位置や玄関間口方向に沿う寸法等を上記第１実施形態とは異ならせている。また、図例では、間仕切収納本体部１０Ａの玄関奥行方向一方側の通路を開放可能に遮蔽する遮蔽体としての戸体３ｃを設けていない構成としているが、設けた構成としてもよい。また、第２壁部４に沿わせるようにカウンター部４ｄを設けていない構成としているが、設けた構成としてもよい。
【００５８】
間仕切収納本体部１０Ａは、上記同様、当該間仕切収納本体部１０Ａの玄関間口方向両側に通路９Ａ，９Ｂが形成され、当該間仕切収納本体部１０Ａの玄関奥行方向両側に通路が形成されるように設置される。本実施形態では、この間仕切収納本体部１０Ａの玄関間口方向に沿う寸法及び玄関奥行方向に沿う寸法を、上記第１実施形態において例示した間仕切収納本体部１０よりも小としている。また、この間仕切収納本体部１０Ａに、玄関フロアー部８ａ上に位置するように配されるフロアー側収納部１５Ａと玄関土間部７ａ上に位置するように配される土間側収納部１１Ａとを設けた構成としている。
フロアー側収納部１５Ａは、玄関間口方向に沿う収納奥行寸法が上記第１実施形態において例示したフロアー側収納部１５よりも小とされている。
【００５９】
土間側収納部１１Ａは、玄関間口方向に沿う収納奥行寸法及び玄関奥行方向に沿う収納間口寸法が上記第１実施形態において例示した第１土間側収納部１１及び第２土間側収納部２０の収納間口寸法を足し合わせた寸法よりも小とされている。また、土間側収納部１１Ａは、第１土間側収納部１１と第２土間側収納部２０とを横並び状に設けた構成とされておらず、単一の収納部（収納箱）とされている。また、この土間側収納部１１Ａは、上記のような凹状飾り棚部２９を設けていない構成とされたものでもよい。
また、この土間側収納部１１Ａは、上記した第１土間側収納部１１の収納奥行寸法を小とし、収納間口方向に沿う寸法を大としたような構成とされたものでもよい。また、この土間側収納部１１Ａの収納空間は、縦仕切板や棚板等によって複数に区画されたものでもよい。なお、これら土間側収納部１１Ａ及びフロアー側収納部１５Ａの収納空間を開閉する戸体１４Ａ，１９Ａのうちの少なくとも二枚を、上記同様な姿見として機能する鏡面が設けられたものとしてもよく、また、合わせ鏡的に利用可能な構成等としてもよい。
【００６０】
上端固定収納部４０Ａは、厚さ方向を上下方向に沿わせて配される略平板状の棚板状部４０Ａとされている。この棚板状部４０Ａは、上記同様、間仕切収納本体部１０Ａとは別体とされている。また、この棚板状部４０Ａを、少なくとも一部が玄関土間部７ａ上に位置するように配される構成としている。本実施形態では、この棚板状部４０Ａを、玄関土間部７ａ上及び玄関フロアー部８ａ上の両方に跨るように配される構成としている。また、この棚板状部４０Ａの玄関奥行方向（間仕切収納本体部１０Ａの収納間口方向）に沿う寸法を、間仕切収納本体部１０Ａの収納間口寸法と略同寸法としている。なお、このような態様に代えて、棚板状部４０Ａの玄関奥行方向に沿う寸法を、間仕切収納本体部１０Ａの収納間口寸法よりも小としてもよい。
【００６１】
また、この棚板状部４０Ａに、吊下具や物干具等の吊下対象物が引掛けられる引掛部４１Ａを設けた構成としている。この引掛部４１Ａは、吊り下げられた衣類等の下方側に玄関フロアー部８ａが位置しないように設けた構成としてもよい。
図例では、引掛部４１Ａを、棚板状部４０Ａを厚さ方向に貫通する引掛孔とした例を示している。また、棚板状部４０Ａの玄関奥行方向及び玄関間口方向に間隔を空けて多数の引掛部４１Ａを設けた構成としている。つまり、棚板状部４０Ａを、多孔板状とした例を示している。なお、引掛部４１Ａとしては、棚板状部４０Ａを厚さ方向に貫通する引掛孔に限られず、棚板状部４０Ａの下面側に突出するように設けられたものやレール状に設けられたもの等でもよく、その他、種々の構成とされたものでもよい。
【００６２】
また、この棚板状部４０Ａの玄関間口方向一端部は、固定具４２Ａ，４２Ａを介して第２壁部４の下地４ｃ（図３参照）に固定される。図例では、棚板状部４０Ａの玄関間口方向一端部の玄関奥行方向両端部の下面側に設けられた固定具４２Ａ，４２Ａを介して棚板状部４０Ａの玄関間口方向一端部を第２壁部４に固定した例を示している。このような固定具４２Ａ，４２Ａとしては、棚板状部４０Ａの下面及び第２壁部４の壁面にそれぞれ沿うように配される片部を有した略Ｌ字状とされたものでもよく、その他、種々の構成とされたものでもよい。
【００６３】
また、棚板状部４０Ａの玄関間口方向他端部は、固定具４３Ａ，４３Ａを介して間仕切収納本体部１０Ａの上面に固定される。図例では、棚板状部４０Ａの玄関間口方向他端部の玄関奥行方向両端部の上面側に設けられた固定具４３Ａ，４３Ａを介して棚板状部４０Ａの玄関間口方向他端部を間仕切収納本体部１０Ａに固定した例を示している。このような固定具４３Ａ，４３Ａとしては、棚板状部４０Ａの上面及び間仕切収納本体部１０Ａの上面にそれぞれ沿うように配される片部を有した略Ｚ字状とされたものでもよく、その他、種々の構成とされたものでもよい。
【００６４】
上記構成とされた本実施形態に係る間仕切収納装置１Ａ及びこれを用いた玄関構造においても、上記第１実施形態と概ね同様の効果を奏する。
また、本実施形態では、上端固定収納部を、棚板状部４０Ａとしている。従って、この棚板状部４０Ａ上に種々の物品を載置するようにして収納することができる。また、棚板状部４０Ａを、少なくとも一部が玄関土間部７ａ上に位置するように配される構成としているので、土間空間７側からも棚板状部４０Ａ上に容易に収納することができる。
また、この棚板状部４０Ａに吊下対象物が引掛けられる引掛部４１Ａを設けた構成としているので、上記と概ね同様、種々の物品を干したり、吊り下げたりすることができる。
また、上端固定収納部を棚板状部４０Ａとしているので、容易に切断することができ、家族用通路９Ｂの通路幅寸法を容易に調整したり、玄関間口方向に沿う寸法が異なる玄関空間２Ａや収納間口寸法が異なる間仕切収納本体部１０Ａにも容易に適用することができる。
【００６５】
図８及び図９は、第３実施形態に係る間仕切収納装置及びこれを用いた玄関構造の一例を模式的に示す図である。
本実施形態に係る間仕切収納装置１Ｂは、図８及び図９に示すように、上端固定収納部４０Ｂの構成が上記第１実施形態とは主に異なる。
上端固定収納部４０Ｂは、収納空間が設けられた箱状部４０Ｂとされている。この箱状部４０Ｂは、上記同様、間仕切収納本体部１０とは別体とされている。また、この箱状部４０Ｂを、少なくとも一部が玄関フロアー部８ａ上に位置するように配される構成としている。また、本実施形態では、この箱状部４０Ｂを、玄関土間部７ａ上及び玄関フロアー部８ａ上の両方に跨るように配される構成としている。
【００６６】
また、この箱状部４０Ｂの玄関奥行方向（間仕切収納本体部１０の収納間口方向）に沿う寸法を、間仕切収納本体部１０の収納間口寸法と略同寸法としている。なお、このような態様に代えて、箱状部４０Ｂの玄関奥行方向に沿う寸法を、間仕切収納本体部１０の収納間口寸法よりも小としてもよい。
また、この箱状部４０Ｂの玄関間口方向（間仕切収納本体部１０の収納奥行方向）に沿う寸法を、間仕切収納本体部１０から第２壁部４までの玄関間口方向に沿う寸法に間仕切収納本体部１０の収納奥行寸法を足し合わせた寸法と略同寸法としている。つまり、箱状部４０Ｂを、間仕切収納本体部１０の上面側の全体に亘って設けた構成としている。
【００６７】
また、箱状部４０Ｂは、玄関奥行方向に収納奥行方向を沿わせて配される構成とされている。この箱状部４０Ｂは、収納空間を区画する天板４２Ｂや底板４３Ｂ、両側の側板４１Ｂ，４４Ｂ等を備えている。この箱状部４０Ｂの底板４３Ｂに、上記同様な引掛部を設けた構成としてもよい。
また、本実施形態では、この箱状部４０Ｂの一方の側板４４Ｂを、第２壁部４の下地４ｃ（図３参照）に固定した構成としている。この一方の側板４４Ｂを第２壁部４に固定する態様としては、側板４４Ｂを貫通させるようにねじ等の止具によって固定する態様としてもよく、適宜の固定具を介して固定するようにしてもよい。
また、この箱状部４０Ｂは、玄関フロアー部８ａ上に少なくとも一部が位置するように配される収納部を構成し、玄関フロアー部８ａの奥側に向けて開口するように設けられる。
【００６８】
本実施形態では、この箱状部４０Ｂを、収納奥行方向両側から収納可能な構成としている。つまり、箱状部４０Ｂの収納空間は、収納奥行方向（玄関奥行方向）両側に開口するように設けられている。この箱状部４０Ｂの収納空間は、収納奥行方向の全体に亘って貫通するように設けられたものでもよく、収納奥行方向途中部位や収納間口方向途中部位に設けられた仕切板によって収納奥行方向や収納間口方向に複数に区画されたものでもよい。
また、この箱状部４０Ｂには、収納奥行方向両側の開口を開閉する戸体４５，４５が設けられている。図例では、収納奥行方向両側のそれぞれに二枚の戸体４５，４５，４５，４５を設けた例を示している。また、図例では、これら戸体４５，４５を、上端側部を回転支点として下端側を上方側に持ち上げるようにして開放される開き戸とした例を示しているが、両開き戸や、その他、折戸や引戸等としてもよい。
【００６９】
また、この箱状部４０Ｂの他方の側板４１Ｂは、間仕切収納本体部１０上に位置するように配される。なお、図例では、この側板４１Ｂを、来客用通路９Ａ側に向く面が間仕切収納本体部１０の来客用通路９Ａ側に向く面と略同一平面状となるように設けた例を示しているが、このような態様に限られない。例えば、この側板４１Ｂを、間仕切収納本体部１０の収納奥行方向途中部位の上方側に位置するように設けたような態様等としてもよい。
また、この箱状部４０Ｂは、下面を構成する底板４３Ｂが止具や固定具等によって間仕切収納本体部１０に固定されるものでもよい。なお、本実施形態では、箱状部４０Ｂを、玄関奥行方向に収納奥行方向を沿わせて配される構成とされた単一の箱状収納部とした例を示しているが、複数の箱状収納部を組み合わせた構成とされたものとしてもよい。また、上端固定収納部を構成する箱状部４０Ｂとしては、その他、種々の変形が可能である。
【００７０】
上記構成とされた本実施形態に係る間仕切収納装置１Ｂ及びこれを用いた玄関構造においても、上記第１実施形態と概ね同様の効果を奏する。
また、本実施形態では、上端固定収納部を箱状部４０Ｂとしているので、この箱状部４０Ｂに種々の物品を収納することができる。また、この箱状部４０Ｂを、玄関フロアー部８ａ上に少なくとも一部が位置するように配される構成とし、玄関フロアー部８ａの奥側に向けて開口するように設けた構成としている。従って、この箱状部４０Ｂへの物品の出し入れを、玄関フロアー部８ａ上において行えるので、玄関土間部７ａよりも高い位置において行うことができる。
なお、本実施形態のように上端固定収納部を箱状部４０Ｂとした場合にも、間仕切収納本体部１０に対する固定位置を変更したり、切断したりすることで家族用通路９Ｂの通路幅寸法を調整したり、玄関間口方向に沿う寸法が異なる玄関空間２Ａにも適用可能である。
【００７１】
また、上記した各実施形態に係る間仕切収納装置１，１Ａ，１Ｂにおける互いに異なる構成を、適宜、組み替えたり、組み合わせたりして適用するようにしてもよい。例えば、上端固定収納部として、吊下棒状部４１と棚板状部４０Ａまたは箱状部４０Ｂとを組み合わせて設けたような態様等としてもよい。また、間仕切収納本体部１０，１０Ａの上端部と第２壁部４とに架け渡されるように配される上端固定収納部４０，４０Ａ，４０Ｂとしては、上記したような構成とされたものに限られず、その他、種々の構成とされたものでもよい。また、上端固定収納部４０，４０Ａ，４０Ｂとしては、別体とされた間仕切収納本体部１０，１０Ａの上端部に固定されるものに限られず、間仕切収納本体部１０，１０Ａに一体的に設けられたものでもよい。また、上記各実施形態では、上端固定収納部４０，４０Ａ，４０Ｂが固定される壁部（第２壁部）４を、家族用通路９Ｂを区画する第２壁部４とした例を示しているが、来客用通路９Ａを区画する壁部（第３壁部）５としてもよい。
【００７２】
また、上記各実施形態では、間仕切収納本体部１０，１０Ａを、玄関空間２，２Ａに設けられた玄関土間部７ａと玄関フロアー部８ａとに跨るように配される構成とした例を示しているが、玄関土間部７ａ上にのみ配される構成としてもよい。
また、上記した例では、家族用通路９Ｂ側の戸体１４Ｂ，１９Ｂの表面に鏡面１４Ｂａ，１９Ｂａを設けた例を示しているが、このような態様に代えて、または加えて、来客用通路９Ａ側の戸体の表面に鏡面を設けた構成等としてもよい。また、上記した間仕切収納本体部１０，１０Ａに設けられた戸体の少なくともいずれか一つまたは全てを設けていない構成等としてもよい。
また、上記各実施形態では、間仕切収納本体部１０，１０Ａを、収納奥行方向両側から収納可能な構成とした例を示しているが、収納奥行方向一方側のみから収納可能な構成としてもよい。
また、上記各実施形態では、間仕切収納本体部１０，１０Ａの収納奥行方向を、上端固定収納部４０，４０Ａ，４０Ｂが固定される壁部（第２壁部）４に対向する方向に沿う方向とした例を示しているが、壁部（第２壁部）４に直交する方向としてもよい。
上記各実施形態に係る間仕切収納装置１，１Ａ，１Ｂ及びこれを用いた玄関構造としては、その他、種々の変形が可能である。
【符号の説明】
【００７３】
１，１Ａ，１Ｂ  間仕切収納装置
１０，１０Ａ    間仕切収納本体部
１１            第１土間側収納部（収納部）
１１Ａ          土間側収納部
１４Ｂ          戸体
１４Ｂａ        鏡面
１５，１５Ａ    フロアー側収納部（収納部）
１９Ａ，１９Ｂ  戸体
１９Ｂａ        鏡面
２０            第２土間側収納部（収納部）
４０            上端固定収納部
４１            吊下棒状部
４０Ａ          棚板状部（上端固定収納部）
４０Ｂ          箱状部（上端固定収納部）
２，２Ａ        玄関空間
３ａ            玄関出入口
４              第２壁部（壁部）
４ｂ            窓
４ｃ            下地
４ｄ            カウンター部
７ａ            玄関土間部
８ａ            玄関フロアー部
９Ａ            来客用通路
９Ｂ            家族用通路（一方の通路）
【図１】
2018071133.tif 000003
【図２】
2018071133.tif 000004
【図３】
2018071133.tif 000005
【図４】
2018071133.tif 000006
【図５】
2018071133.tif 000007
【図６】
2018071133.tif 000008
【図７】
2018071133.tif 000009
【図８】
2018071133.tif 000010
【図９】
2018071133.tif 000011